(57)【特許請求の範囲】
【請求項１】
リリース機構であって、
第１部材と、
第２部材と、
前記第１部材及び前記第２部材に機械的に結合される分離要素と、
を備え、
前記分離要素は、所定の温度に加熱されたときに、前記第２部材から前記第１部材をリリースし、前記第２部材から前記第１部材を分離し、
当該リリース機構は、封じ込めシステムの一部であり、前記封じ込めシステムの他部と結合され、
前記封じ込めシステムは、
容器と、
蓋と、
を有し、
当該リリース機構は、前記容器を閉塞する装置の一部として、前記蓋と前記容器とを分離可能に相互に結合し、
前記第１部材は、前記リリース機構が分離されるときに、前記蓋に結合されたままであり、
前記第２部材は、前記リリース機構が分離されるときに、前記容器に結合されたままであり、
前記第２部材は、前記容器と回転可能に結合される腱を含み、
前記リリース機構は、さらに、腱リテーナーを含み、前記腱は、前記リリース機構の分離の前に、前記第１部材と前記腱リテーナーの間に保持され、
前記装置は、前記容器に回転可能に結合されるハンドルであり、
前記リリース機構は、前記ハンドルの一部である、リリース機構。
【請求項２】
前記分離要素は、形状記憶合金要素である、請求項１に記載の封じ込めシステム。
【請求項３】
前記形状記憶合金要素の加熱により、前記形状記憶合金要素に応力が生じ、十分な加熱が達成された際に、前記分離要素に破断が生じる、請求項２に記載の封じ込めシステム。
【請求項４】
前記分離要素は、前記分離要素が優先的に破断する脆弱部を有する、請求項２または３に記載の封じ込めシステム。
【請求項５】
前記分離要素は、前記脆弱部に隣接する一以上のインデンテーションを有し、前記脆弱部に、減少した断面が提供される、請求項４に記載の封じ込めシステム。
【請求項６】
前記腱リテーナーは、前記第１部材と回転可能に結合される、請求項２に記載の封じ込めシステム。
【請求項７】
前記第１部材に回転可能に結合されるラッチをさらに備える、請求項２乃至６のいずれか一つに記載の封じ込めシステム。
【請求項８】
前記分離要素の相対する端部は、それぞれ、前記腱リテーナー及び前記ラッチに固定して取り付けられる、請求項7に記載の封じ込めシステム。
【請求項９】
前記リリース機構は、前記腱リテーナー及び前記ラッチと前記要素を留めるための要素クランプを含む、請求項８に記載の封じ込めシステム。
【請求項１０】
前記リリース機構を通る荷重の大半は、前記分離要素を通るよりも、前記腱リテーナーを通って通過する、請求項８または９に記載の封じ込めシステム。
【請求項１１】
前記リリース機構は、前記腱リテーナーを通って通過する前記荷重を制御するテンショナーを含み、
前記テンショナーは、前記ラッチを通るネジ穴と螺合するセットスクリューを含み、前記セットスクリューの先端が前記腱リテーナーと接触する、請求項１０に記載の封じ込めシステム。
【請求項１２】
前記腱リテーナーは、前記ラッチと接触するローラーを含む、請求項７乃至１１のいずれか一に記載の封じ込めシステム。
【請求項１３】
圧力リリースシステム又は火安全扉の一部である、請求項２乃至１２のいずれか一に記載の封じ込めシステム。
【発明の詳細な説明】
【技術分野】
【０００１】
本発明は、機械的なリリース機構の分野に関する。
【背景技術】
【０００２】
多くの状況は、加熱に応じて又は加熱に伴う条件に応じて機構の発動を要求する。具体例は、過熱するボイラー、軍需品の保管エリアの火災、又は、保管容器内の火災若しくは他の圧力増加事象のための圧力開放を含む。例えば、温度又は熱センサーと接続される電力アクチュエーターを有する能動的な作動システムは、過去に、そのような事象を検知し、反応するために試みられたが、しかし、そのような方法には欠点がある。
【発明の概要】
【０００３】
本発明の一態様によれば、リリース機構は、第１部材、第２部材、並びに、前記第１部材及び前記第２部材と機械的に連結される分離要素を含み、所定の温度に加熱されたときに、前記第１部材を前記第２部材からリリースし、そして前記第１部材を前記第２部材から分離することで、前記分離要素が分離する。
【０００４】
本発明の他の態様によれば、封じ込めシステムは、容器、前記容器上の蓋、及び、前記容器へ前記蓋を連結する一以上のリリース機構を含み、前記一以上のリリース機構は、所定の温度に加熱されたときにリリースする。
【０００５】
本発明のさらに他の態様によれば、機械的連結のリリース方法は、前記連結の第１部材を設けること、前記連結の第２部材を設けること、及び、所定の温度に加熱されたときに前記連結の分離要素を分離し、それによって第２メンバーから第１メンバーをリリースし分離することを備える。
【０００６】
本発明のさらなる他の態様によれば、リリース機構は、加熱されたときに機構をリリースして分離する分離可能なプラスティック要素を含む。
【０００７】
さらに、本発明の態様によれば、リリース機構は、破断可能な形状記憶合金要素を含む。
【０００８】
前述の、そして関連する目的を達成するために、本発明は、以下に十分に記述され、そして、特に、請求項に記載される特徴を備える。以下の記述及び添付される図面は、本発明の一例の実施形態を詳細に述べる。しかしながら、これら実施形態は、本発明の本質が使用される様々な方法の幾つかが示される。本発明の他の目的、利点及び新しい特徴は、図面と共に考慮され、本発明の以下の詳細な記述から明らかとなる。
【０００９】
必ずしも比例尺でない添付される図面は、本発明の様々な態様を示す。
【図面の簡単な説明】
【００１０】
【図１】図１は、本発明の実施形態に係る、リリース機構を含むシステムの一部の斜視図である。
【図２】図２は、図１のリリース機構の断面図である。
【図３】図３は、図１のリリース機構のリリースにおける第１ステップの断面図である。
【図４】図４は、図１のリリース機構のリリースにおける第２ステップの断面図である。
【図５】図５は、図１のリリース機構のリリースにおける第３ステップの断面図である。
【図６】図６は、リリース機構を含む他の実施形態のシステムの概略図である。
【発明を実施するための形態】
【００１１】
リリース機構は、温度上昇の結果として、機械的連結を受動的にリリースする。リリース機構は、形状記憶合金（ＳＭＡ）要素等の要素が所定の温度に加熱されたときに破断するように構成される破断要素を含む。破断要素の破断は、容器上の蓋を保持するカップリング等の機械的連結をリリースする。リリース機構は、容器を閉塞するハンドル又は他の装置の一部であるかもしれない。リリース機構は、リリースに先だって、その上の機械的荷重を有するかもしれず、幾分かの荷重は、破断要素を通って通過する。荷重の大半は、リリース機構が引き起こされる後に、分離のための力を提供するリリース機構の一以上の他の要素を通って通過するかもしれない。リリース機構は、ある種の加熱に応じて機械的連結をリリースする受動的な方法を提供するために用いられるかもしれない。
【００１２】
図１は、容器１６の蓋１４を閉じるためのハンドルの一部であって、且つ、容器１６に蓋１４を機械的に固定するリリース機構１０を含む封じ込めシステム８の一部を示す。容器１６及び／又は蓋１４の一部であるハンドル１２は、蓋１４及び容器１６に関して旋回することによって、蓋１４を固定するために用いられる。容器１６は、矩形状の箱、又は、一般的に適切な形状の容器であるかもしれない。複合的なハンドル１２は、多様な位置で容器１６に蓋１４を固定するために、容器１６の周囲の中に配置されることが可能である。
【００１３】
ハンドル１２のグリップ部１８は、リリース機構１０がグリップ部１８に関して旋回することを可能とするピン２０でリリース機構１０と連結される。グリップ部１８は、同様に、グリップ部１８が容器１６で旋回軸２２周りに旋回することを可能に、容器１６と枢動可能に連結される。
【００１４】
リリース機構１０は、それにねじ切りされたハーフバレルナット３６とともに、ねじ山シャフト３２を有するスタッド３０を含む。ハーフバレルナット３６は、蓋１４の対応する湾曲窪み３８と係合する。ハンドル１２がグリップ部１８の回転によって容器１６の窪み３９の中に係合したときに、ナット３６は、蓋１４の頂部に対して引き下ろされる。これは、ハンドル１２が係合される間、ハンドル１２を通って伝わる力のために、蓋１４を容器１６に対してタイトに引き寄せる。
【００１５】
容器１６は、様々な要素のうちいずれかを囲むことが可能である。一の実施形態において、容器１６は、ロケットエンジン又はロケットエンジンを含む装置を囲う。ロケットエンジンを格納する一つの問題は、万一にロケットエンジンのいずれかの燃料が燃え始めたときの、爆発に対する保護を提供することである。容器１６が閉じられ続けるなら、その後、恐らく爆発を引き起こして、圧力が高まる。例えば、蓋１４を容器１６から少なくとも部分的に分離することを可能とすることにより、圧力の高まりを軽減することができるなら、大惨事の結果のリスクは大幅に引き下げられる。従って、リリース機構１０は、十分な熱がリリース機構１０に印加されるときに、ハンドルの機械的連接を分離するように構成される。ロケットエンジンが遅く生じる又は早く生じるプロセスで燃えても、容器１６及びハンドル１２を加熱する熱は生成される。この加熱は、リリース機構１０を通って容器から蓋１４がリリースするための受動的なトリガーのように用いられることができる。リリース機構１０は、利点として、容器１６から蓋１４のリリースを引き起こすための自発的なセンサー又はパワーを要求しない。
【００１６】
ここで、加えて図２に示すように、リリース機構１０は、ハンドルグリップ部１８（図１）と接続される腱４０を含む。腱４０は、腱４０及びグリップ部１８を一緒に連結するピン２０（図１）を支持する穴４４を有する。ピン接続２０は、腱４０及びグリップ部１８の間で旋回することを可能とする。
【００１７】
リリース機構１０が完全である（リリースの前に）とき、腱４０は、インナー部材５０及び腱リテーナー５２の間である。インナー部材５０は、ハーフバレルナット３６（図１）を支持するスタッド３０を含む、連続的、且つ、単一的なピースである。代替案として、インナー部材５０は、複合ピースであってもよい。部材５０は、その内面６０に窪み５８を有する。窪み５８は、腱４０の一部６４を支持し、腱４０の同部分は、ピン支持穴４４を有する。腱リテーナー５２は、腱４０の相対する側に、腱４０の対応する窪み７０と係合する突起６８を含む。腱リテーナー５２による腱４０の係合は、リリース機構１０内の係合から腱４０がスライドすることを防止する。係合は、同様に、リリース機構１０内の荷重を伝達することを助長する。
【００１８】
腱リテーナー５２は、二つの間のジョイント７６でインナー部材５０に関して旋回することができる。ジョイント７６は、リリース機構がリリースされるときに、インナー部材５０及び腱リテーナー５２の間から腱４０が逃げることを可能とするために、腱リテーナー５２がインナー部材５０に関して回転することを可能にする。機構１０がリリースされるとき、インナー部材５０及び腱リテーナー５２は蓋１４（図１）に連結され続け、そして、腱４０は容器１６（図１）に残存する。その後、さらに詳細に説明すると、機構１０のリリースは、蓋１４が容器１６から少なくとも局所的に分離することを可能とする。これは、容器１６内で増加するかもしれない圧力のリリースを可能とし、そして、さらなる容器１６内での圧力の増加を防止することを助けることを可能とする。
【００１９】
また、リリース機構１０は、加熱されるときに、機構１０の一部の係合がリリースされるように破断するか又はその他の方法で分離する分離要素８０を含む。図示される実施形態に係る分離要素８０は、加熱されたときに壊れるように構成される形状記憶合金要素である。要素８０は、所定の分離位置８４（図１）で要素８０の幅を減少する一対のインデンテーション又はノッチ８２（図１）を有する。幅の減少は、要素８０が優先的に壊れる要素８０の脆弱部を生じさせる。ノッチ８２は、半円状に示されるが、あるいは、様々な他の形状のいずれかでもよい。また、優先的な脆弱の他の典型は、刻み目を入れる、薄くする、並びに、材料構成及び／又は他の特性の局所変化を含むことが可能である。
【００２０】
分離要素８０は、一対のクランプ８６、８８によって、相対する端部で固定される。上方クランプ８６は、要素８０の上端を腱リテーナー５２へ固定する。下方クランプ８８は、要素８０の下端をヒンジ荷重低減ラッチ９０へ固定する。クランプ８６、８８は、腱リテーナー５２及び荷重低減ラッチ９０にそれぞれ螺子止めされるか又はボルト止めされる（又は他の方法で固定される）金属ブロックである。クランプ８６、８８の近辺で分離要素８０が局所的に弱体化されることを避けるために、分離要素８０は、クランプ８６、８８の近辺で局所的に分離要素８０の強さを増加するために、クランプ８６，８８の上に折り重ねられるか、又は他の方法によって噛みあわせられる。
【００２１】
ラッチ９０は、分離要素８０の分離（切断）によってリリースする前に、機構１０とともに保持することを助ける。ラッチ９０は、インナー部材５０の下端９６で、ピン９４によってインナー部材５０に連結される。これは、ラッチ９０がピン９４周りでインナー部材５０に関して回転することを可能とする。機構１０のリリースの前に、ラッチ９０は、腱リテーナー５２の下端９８の周りに収まる。これは、腱リテーナーの下端９８がインナー部材の下端９６に対して保持されることを維持する。腱リテーナーの下端９８は、機構１０のリリースの前に、ラッチ９０に対して押圧するローラー１００を有する。このローラー１００は、機構１０がリリースされるときに、腱リテーナー５２及びラッチ９０の間で移動を可能に助ける。代替案として、ローラー１００は、望まれるのであれば省略されることも可能である。
【００２２】
機構１０は、ハンドル１２（図１）が閉じられるとき、蓋１４（図１）を容器１６（図１）の頂部に対して保持するための力を提供するように、荷重がかけられる。また、荷重は、機構１０がリリースされるとき、蓋１４が容器１６から分離するための機械的な力を提供する。腱リテーナー５２を通って、機構１０を通過する荷重経路がある。また、腱リテーナー５２を通る経路は、分離要素８０に張力荷重を加える。分離要素８０に張力が印加された状態となるように、分離要素８０には十分な荷重が提供されることが望ましいが、一方で、張力で分離要素８０に過荷重が印加されることを回避することが望ましい。過荷重により望ましくない分離が生じるおそれがあり、その場合、機構１０のリリースが生じる結果となるからである。従って、機構１０に対する荷重の一部（例えば、荷重の半分未満）は、分離要素８０を通って導かれてもよい。リリース機構１０は、分離要素テンショナー１０４を有し、これは、分離要素８０の張力を制御するために用いられる。テンショナー１０４は、ラッチ９０のネジ孔に噛みあうセットスクリューであり、セットスクリューの先端は、腱リテーナー５２の端面に対して押し付けられる。セットスクリューの回転は、腱リテーナー５２に対するラッチ９０の位置を定め、分離要素８０の張力が調整される。
【００２３】
分離要素８０は、形状記憶合金のような、形状記憶特性を示す様々な材料のいずれかで形成される。形状記憶合金は、焼き鈍し温度で材料に課された機械的構造の記憶によって特徴付けられる相変化に関する温度を受ける。形状記憶合金が低温未満であるときに、合金は、特別な結晶構造を所有し、それにより、比較的容易に任意の形状に変形されることが可能となる。高温以上に合金が加熱されると、合金は、結晶構造の変化を受け、そして、形状記憶効果は、復元応力の開始を表す、元来の与えられた形状の回復により現れる。形状記憶材料の反応に関するさらなる詳細は、その全体で参照され、ここで統合される共有されたＵＳ特許出願公開第２０１０／０１３９２４６で理解されるかもしれない。適切な形状記憶合金の例は、ニッケル−チタン合金（例えば、ニチノール）、チタン−ニッケル合金、銅−亜鉛−アルミ有無合金、銅アルミニウムニッケル合金、ニッケルチタンハフニウム合金、及び、他の形状記憶合金を含む。
【００２４】
分離要素８０は、リリース機構１０に取り付けられたときに有するその後の形状から大いに異なる「記憶された」定められた形状で与えられるかもしれない。リリース機構１０に要素８０を取り付ける場合において、要素８０は、そのオリジナル形状から伸ばされたか又は引っ張られた要素である。外部環境要素の遅い又は早い燃焼等で分離要素８０が加熱されるとき、分離要素８０は、それが収縮するか、又は、他の方法で、その記憶された定められた形状に戻るような力を受ける。これは、分離要素８０にストレスを与える。インデンテーション又はノッチ８２と共に、このストレスは、分離要素８０が脆弱部８４で破断するための原因となる。分離要素８０及びそのインデンテーション若しくはノッチ８２の寸法及び他の特性、並びに、その脆弱部８４は、機構１０の所望のリリースと関連される加熱が生じるときに、要素８０の破断（及び機構１０のリリース）を達成するために選択される。例えば、容器１６の近くの単数又は複数のアイテムの燃焼は、一定量の加熱を引き起こすことが予想され、そして、要素８０は、蓋１４が解き放たれることによっていくらかの圧力開放を提供する必要に関係される加熱量が生じるときに、機構１０がリリースするように構成されるかもしれない。
【００２５】
分離要素８０は、代わりに、異なる機構によって分離する他の種類の材料を含むことができる。例えば、分離要素８０は、加熱されるときに溶融するか又は弱くなるプラスティック材料であってもよい。この溶融又は弱体化は、プラスティック要素の破断又は他の方法による部分的な分離を結果として生じさせ、機構１０をリリースする。分離要素８０のためのプラスティック材料は、所望の加熱で、機構のリリースを達成するために選択される。
【００２６】
機構の他の部分（並びに、容器１６及び蓋１４）は、様々な適切な材料のいずれでも形成されることができる。例えば、適切なステンレス鋼が、適切な材料の一例である。
【００２７】
図３乃至図５は、機構１０のリリースを図示する。図３は、１２０で示されるように、加熱される分離要素８０を示す。加熱は、機構１０を通る伝熱による、又は、容器１６（図１）若しくは周囲環境からの放熱又はコンベンションによる等の様々な機構のいずれかによる。
【００２８】
図４は、要素８０の分離が直ぐに続く機構１０を示す。ラッチ９０及び腱リテーナー５２は、互いから分離し、インナー部材５０に関してそれぞれ回転する。腱リテーナー５２のローラー１００は、腱リテーナー５２及びラッチ９０の間の拘束を防ぐのに役立つ。
【００２９】
回転は、図５に図示されるように、腱リテーナー５２が腱４０から完全に離れるようになるまで、継続する。インナー部材５０、腱リテーナー５２及びラッチ５０は、蓋１４（図１）と共に、全て上方へ引っ張られる。機構１０のこれらの部分は、容器１６（図１）に連結され続ける腱４０から分離されるようになる。機構のこれら部位の分離は、ハンドル１２（図１）がその連結の部位を提供するところで少なくとも局所的に、蓋１４が容器１６から機械的に分断されるようになることを可能とする。
【００３０】
上述されるリリース機構１０は、一つの可能な適用に過ぎない。図６は、リリース機構２１０が一対の部材２１２、２１４と互いに連結される一般化されたシステム２００を概略的に示す。機構２１０は、上述される機構１０（図１）と同じ特性を幾つか有する。例として、機構２１０は、分離要素８０（図２）に形状及び機能が類似している分離要素を有する。しかしながら、機構２１０の他の部位は、機構２１０がリリースする前に互いに保持される方法、及び、機構２１０の複数の部位が分離要素の分離後に互いからリリースする方法について、異なる形状を有するかもしれない。
【００３１】
部材２１２、２１４は、リリース機構２１０がリリースされるときに、位置及び／又は機能（又は他の特性）を変える任意の種類の部位又は装置である。一例を挙げると、部材２１２、２１４の一方又は双方は、ボイラー又は過熱するときにリリース若しくは圧縮（又は他の変化）から利益を得る他の装置の一部である。そのようなシチュエーションにおいて、機構２１０は、ボイラー又は他の装置内の圧力を取り除くための、放出ドアのような、軽減機構の開放を引き起こす。
【００３２】
別の例において、機構２１０のリリースは、部材２１２、２１４か又は連結される一以上の防火ドアの閉鎖を引き起こす。燃焼による過熱は、機構２１０をリリースし、直接的又は間接的に防火ドアの閉塞を結果として生じる。
【００３３】
機構１０、２１０は、熱によって作動される受動装置であるという利点を有する。電力は、リリース機構の作動に必要ではなく、また、温度又は他のセンサーをほとんど必要としない。
【００３４】
発明は、ある好ましい単数又は複数の実施形態に関して示され、そして述べられたが、この明細書及び図面の読みとりそして理解の上で他の当業者が同等の変更又は変形を想到できることは明らかである。特に、上述された要素（コンポーネント、アッセンブリ、装置、構成等）によって成し遂げられる様々な機能に関係し、用語（「手段」への言及を含む）は、他に示されない限り、ここで詳述される本発明の典型的な単数又は複数の実施形態の機能が成し遂げる記述された構造に対して構造上同等でなくても、記述される要素（即ち、それが機能的に等しい）の明記される機能を遂行する幾つかの要素に、要素が対応することを意図するように述べるために用いられる。さらに、本発明の特別な特徴は、一以上の幾つかの図示された実施形態にのみ関して上述された一方で、そのような特徴は、一以上の他の実施形態の他の特徴と組み合わせられ、そして、幾つか与えられる又は特定の適用に要望され、そして、有利である。
以下に、本願出願の当初の特許請求の範囲に記載された発明を付記する。
［１］  第１部材と、
第２部材と、
前記第１部材及び前記第２部材に機械的に連結される分離要素と、
を備え、
前記分離要素は、所定の温度に加熱されたときに、前記第２部材から前記第１部材をリリースし、そして、前記第２部材から前記第１部材を分離して分離する、リリース機構。
［２］  前記分離要素は、形状記憶合金要素である、［１］に記載のリリース機構。
［３］  前記形状記憶合金は、ニッケル−チタン合金、チタン−ニッケル合金、銅−亜鉛−アルミニウム合金、銅−アルミニウム−ニッケル合金、及び、ニッケルーチタンーハフニウム合金の一以上を含む、［２］に記載のリリース機構。
［４］  前記形状記憶合金要素の加熱は、十分な加熱が達成されたときに、前記分離合金の破断を引き起こす前記形状記憶合金の応力を引き起こす、［２］又は［３］に記載のリリース機構。
［５］  前記分離要素は、前記分離要素が優先的に破断する脆弱部を有する、［１］乃至［４］のいずれか一に記載のリリース機構。
［６］  前記分離要素は、前記脆弱部に隣接し、前記脆弱部へ減少される断面を提供する、一以上のインデンテーションを有する、［５］に記載のリリース機構。
［７］  封じ込めシステムの一部であって、前記封じ込めシステムの他部と結合する前記リリース機構は、
容器と、
蓋と、を含み、
前記リリース機構は、前記蓋及び前記容器を分離可能に連結する、［１］乃至［６］のいずれか一に記載のリリース機構。
［８］  前記第１部材は、前記リリース機構が分離されるときに、前記蓋と連結されたままであり、
銭第２部材は、前記リリース機構が分離されるときに、前記容器と連結されたままである、［７］に記載の封じ込めシステム。
［９］  前記封じ込めシステムは、前記容器と回転可能に連結されるハンドルを含み、
前記リリース機構は、前記ハンドルの一部である、［８］に記載の封じ込めシステム。
［１０］  前記第２部材は、前記容器と回転可能に連結される腱を含み、
前記リリース機構は、さらに、腱リテーナーを含み、前記リリース機構の分離に先立って、前記第１部材及び腱リテーナーの間で前記腱が保持される、［９］に記載の封じ込めシステム。
［１１］  前記腱リテーナーは、前記第１部材と回転可能に連結される、［１０］に記載の封じ込めシステム。
［１２］  前記第１部材と回転可能に連結されるラッチをさらに備える、［１０］に記載の封じ込めシステム。
［１３］  前記分離要素の相対する端部は、それぞれ、前記腱リテーナー及び前記ラッチに固定して取り付けられる、［１２］に記載の封じ込めシステム。
［１４］  前記リリース機構は、前記腱リテーナー及び前記ラッチと前記要素を留めるための要素クランプを含む、［１３］に記載の封じ込めシステム。
［１５］  前記リリース機構を通る荷重の多くは、前記分離要素を通るよりも、前記腱リテーナーを通って通過する、［１３］又は［１４］に記載の封じ込めシステム。
［１６］  前記リリース機構は、前記腱リテーナーを通って通過する前記荷重を制御するテンショナーを含む、［１５］に記載の封じ込めシステム。
［１７］  前記テンショナーは、前記ラッチを通る螺子穴と螺合するセットスクリューを含み、前記セットスクリューの先端が前記腱リテーナーと接触する、［１６］に記載の封じ込めシステム。
［１８］  前記腱リテーナーは、前記ラッチと接触するローラーを含む、［１２］の封じ込めシステム。
［１９］  圧力リリースシステム又は火安全扉の一部である、［１］乃至［１８］のいずれか一に記載の封じ込めシステム。
［２０］  容器と、
前記容器上の蓋と、
前記蓋を前記容器に連結する一以上のリリース機構と、を備え、
前記一以上のリリース機構は、所定の温度に加熱されたときに、リリースし、そして分離する、封じ込めシステム。
［２１］  機械的連結のリリース方法であって、
前記方法は、
前記連結の第１部材を設けること、
前記連結の第２部材を設けること、
所定の温度に加熱された時に前記連結の分離要素を分離し、それによって、前記第１部材を前記第２部材からリリースし、そして分離すること、
を含む、機械的連結のリリース方法。
【図１】
0006005873.tif 000002
【図２】
0006005873.tif 000003
【図３】
0006005873.tif 000004
【図４】
0006005873.tif 000005
【図５】
0006005873.tif 000006
【図６】
0006005873.tif 000007